(57)【要約】【課題】パネル本体ａの両面を伝熱面として活用して、熱効率をよくする。【解決手段】アルミ製のパネル本体ａは、その一方の面に複数のパイプガイド溝１を、一定の間隔を保って平行に形成している。パイプガイド溝１に挟まれたくぼみ部２には、そのくぼみ部２の長さ方向に多数のエア流通孔３を形成している。上記パイプガイド溝１にはパイプマットｍの放熱パイプ４をはめ込む。上記のパネル本体ａを天井に敷設するときには、パイプガイド溝１を形成したパネル本体ａの一方の面を天井懐７側に位置させる。この天井懐７には、エアを強制的に流通させる送風装置として、送風機８を用いている。そして、この送風機８の吹き出し口８ａを天井懐７側に位置させる一方、この送風機８の吸い込み口８ｂを、室内側に位置させる。【選択図】  図３
2004197988.tif 000002
【特許請求の範囲】
【請求項１】
流体を流す流体流路を設けたパネル本体に、このパネル本体を貫通するエア流通孔を多数形成し、上記流体流路に流体を流通させるとともに、上記エア流通孔にエアを流通させる冷暖房装置。
【請求項２】
パネル本体の一方の面にパイプを敷設し、このパイプを流体流路にしてなる請求項１記載の冷暖房装置。
【請求項３】
パネル本体内に流体流路を形成した請求項１記載の冷暖房装置。
【請求項４】
パネル本体の一方の面から他方の面に、強制的にエアを流通させるための送風装置を設けた請求項１〜３のいずれか１に記載の冷暖房装置。
【発明の詳細な説明】
【０００１】
【発明の属する技術分野】
この発明は、パネル本体に設けた流体流路に冷房用あるいは暖房用の流体を流通させる冷暖房装置に関する。
【０００２】
【従来の技術】
従来から知られている流体を流通させる冷暖房装置は、そのパネル本体にパイプを敷設し、そのパイプに流通させた流体でパネル本体を冷却または加熱する。そして、この冷却または加熱されたパネル本体の放射熱伝達と、パネル本体に接する空気との対流熱伝達により、所期の冷房あるいは暖房効果を得るようにしている。
【０００３】
【発明が解決しようとする課題】
上記のようにした従来の冷暖房装置では、例えば、パネル本体を天井に設置したとき、そのパネル本体の熱伝達面は、室内に面した面だけになる。言い換えると、パネル本体のうち、天井懐側に面した面が、熱伝達面として有効に使われないことになる。そのために熱伝達面の面積が小さくなり、その分、冷房あるいは暖房効率が悪くなるという問題があった。
この発明の目的は、パネル本体の両面を熱伝達面として有効に機能させうる冷暖房装置を提供することである。
【０００４】
【特許文献１】
特開２０００−２１３７８１号公報
【０００５】
【課題を解決するための手段】
第１の発明は、流体を流す流体流路を設けたパネル本体に、このパネル本体を貫通するエア流通孔を多数形成し、上記流体流路に流体を流通させるとともに、上記エア流通孔にエアを流通させるようにした点に特徴を有する。
第２の発明は、パネル本体の一方の面にパイプを敷設し、このパイプを流体流路にした点に特徴を有する。
第３の発明は、パネル本体内に流体流路を形成した点に特徴を有する。
第４の発明は、パネル本体の一方の面から他方の面に、強制的にエアを流通させるための送風装置を設けた点に特徴を有する。
【０００６】
【発明の実施の形態】
図示の実施例において、アルミ製のパネル本体ａは、その一方の面に複数のパイプガイド溝１を、一定の間隔を保って平行に形成している。そして、パイプガイド溝１に挟まれたくぼみ部２には、そのくぼみ部２の長さ方向に多数のエア流通孔３を形成している。
【０００７】
そして、上記パイプガイド溝１にはパイプマットｍの放熱パイプ４をはめ込むが、このパイプマットｍの構成は次のとおりである。すなわち、パイプマットｍは、一対の太いメインパイプ５、６の間に、複数の細い放熱パイプ４を一定の間隔を保って平行に設けたもので、この放熱パイプ４の間隔を、上記パイプガイド溝１の間隔と等しくしている。したがって、パイプマットｍをパネル本体ａに載せるようにすれば、そのパイプマットｍの放熱パイプ４がパイプガイド溝１に必然的に一致する。なお、パイプマットｍがこの発明の流体流路を構成するものである。
【０００８】
上記のようにしたパイプマットｍは、一方のメインパイプ５から流体を供給するが、この一方のメインパイプ５から供給された流体は、放熱パイプ４を経由して他方のメインパイプ６に流れ、そこから図示していない流体供給源に戻されるようにしている。
【０００９】
上記のパネル本体ａを天井に敷設するときには、図３に示すようにする。すなわち、パイプガイド溝１を形成したパネル本体ａの一方の面を天井懐７側に位置させる。この天井懐７には、エアを強制的に流通させる送風装置として、送風機８を用いている。そして、この送風機８の吹き出し口８ａを天井懐７側に位置させる一方、この送風機８の吸い込み口８ｂを、室内側に位置させる。したがって、送風機８を駆動すると、室内のエアを吸い込んでそれを天井懐７に吹き出すとともに、その吹き出されたエアがエア流通孔３を介して室内側に強制的に噴出される。
なお、この吸い込み口８ｂをダクトや壁の裏側の空間などからなる送風通路に位置させ、この送風通路を床面付近に開口させるようにすることもできる。このように送風通路を床面付近に開口させれば、天井から噴出されたエアを床面から吸い込むことになるので、エアを室内全体に効率よく循環させることができる。
【００１０】
上記のように送風機８によってエアを強制的に流通させているので、パネル本体ａのうち天井懐７側に面した一方の面において熱伝達されたエアが室内側に供給されることになる。したがって、パネル本体ａの一方の面と他方の面との両面が伝熱面積となる。このようにパネル本体ａの両面が伝熱面積になるので、一方の面だけしか伝熱面積になり得なかった従来の装置よりも、その熱効率が飛躍的に向上する。
また、上記パネル本体ａには多数のエア流通孔３を形成し、このエア流通孔３を介してエアが室内側に噴出されるようにしているので、このエア流通孔３の内側面でも、エアの熱伝達がおこなわれる。したがって、より一層、伝熱面積を大きくすることができ、その分、熱効率の向上を図ることができる。
【００１１】
さらに、上記エア流通孔３を介してエアが噴出されれば、パネル本体ａの室内に面した他方の面では空気の誘引作用が働く。つまり、この他方の面において、室内の空気がエア流通孔３に引き寄せられる。そして、この引き寄せられた空気に対して、パネル本体ａの室内に面した他方の面で熱伝達がおこなわれる。したがって、この他方の面では、熱伝達率が上昇し、より一層、パネル本体ａ全体での熱効率を向上させることができる。
なお、上記エア流通孔３を通過する風速が上昇すれば、それに伴って誘引作用も増加する。また、エア流通孔３の直径が小さければ、同じ風量であっても風速が上昇し、誘引作用も増加する。つまり、エア流通孔３を通過するときの風速を上昇させることによって、上記パネル本体ａの熱効率をさらに向上させることができる。
【００１２】
なお、この実施例では、パネル本体ａを天井に設けた場合について説明したが、このパネル本体ａを壁面や床面に設けてもよいこと当然である。ただし、パネル本体ａを壁面や床面に設けた場合には、パネル本体ａの裏側にエアが流通する空間を形成しなければならない。
【００１３】
また、送風装置として、送風機８を用いるようにしているが、これに限ったものではない。例えば、外調機や除湿機など、エアを強制的に流通できるものであれば何でもよい。
さらに、アルミ製のパネル本体ａを用いているが、このようにアルミ製にしたのは、熱伝導性に優れているからである。したがって、熱伝導性に優れた他の金属やスレート板等をパネル本体ａとして用いてもよい。ただし、軽量化を考慮すれば、アルミ製が望ましい。
【００１４】
また、パネル本体ａにはパイプマットｍの放熱パイプ４を敷設して流体流路を設けたが、パネル本体ａに１本のパイプを蛇行させるようにして設けてもよい。この場合には、パイプが位置するところ以外のところにエア流通孔を形成し、そのエア流通孔がパイプでふさがれないようにする必要がある。いずれにしても、パイプ本体ａに設けるパイプはどのようなものであってもよいもので、要は、冷房用流体あるいは暖房用流体を流通させる機能を持っていればよいものである。さらに、パネル本体ａに流体流路としての孔を直接形成してもよい。
【００１５】
【発明の効果】
この第１〜３の発明の冷暖房装置によれば、パネル本体の両面を伝熱面積として利用できるので、その熱効率を飛躍的に向上させることができる。
第４の発明の冷暖房装置によれば、パネル本体の両面において、エアを強制的に循環させられるので、熱効率はさらに向上することになる。
【図面の簡単な説明】
【図１】パイプマットを敷設したパネル本体の断面図である。
【図２】パイプマットを敷設したパネル本体の平面図である。
【図３】パネル本体を天井に設けた使用状態を示す断面図である。
【符号の説明】
ａ      パネル本体
３      エア流通孔
ｍ      流体流路を構成するパイプマット
８      送風機
【図１】
2004197988.tif 000003
【図２】
2004197988.tif 000004
【図３】
2004197988.tif 000005